(57)【要約】【課題】上枠用下地材、縦枠用下地材の取り付け強度を既設上枠、既設縦枠の状態に左右されずに常に十分なものにできる改装サッシとする。【解決手段】既設上枠４、既設縦枠６の中間内向板４ｅ，６ｅの下地材取付用孔４ｆ，６ｆに、上枠用下地材１０、縦枠用下地材３０の挿通部１０ａ，３０ａを挿通して長手方向の動きを規制し、前記中間内向板４ｅ，６ｂの一側面と凹部形成部１０ｃ，３０ｃとの間に固定部品１２，３２を取付けて支持部１０ｂ，３０ｂを前記中間内向き板４ｅ，６ｅの他側面に接し、その中間内向板４ｅ，６ｅを挟持して室内外側方向の動きを規制して上枠用下地材１０、縦枠用下地材３０を取付けることで、既設上枠４、既設縦枠６の状態に左右されずに常に十分な取り付け強度にできるようにする。【選択図】図３
2010174549.tif 000002
【特許請求の範囲】
【請求項１】
建物躯体の開口部に残存した既設枠内に、新設枠を上枠用下地材、縦枠用下地材を用いて取付け、その新設枠に障子を取付けた改装サッシであって、
前記既設枠の既設上枠の中間内向板と、既設縦枠の中間内向板は下地材取付用孔を有し、
前記上枠用下地材、縦枠用下地材は、挿通部と支持部と凹部形成部と枠取付部を有し、
その各挿通部を前記各中間内向板の下地材取付用孔にそれぞれ挿通して各下地材の既設上枠、既設縦枠の長手方向への動きを規制し、
前記各凹部形成部と各中間内向板との間に固定部品を取付けることで、その各中間内向板を前記各支持部と各固定部品とでそれぞれ挟持して各下地材の既設上枠、既設縦枠の室内外側方向への動きを規制して各下地材を既設上枠、既設縦枠にそれぞれ取付け、
前記新設枠の新設上枠を前記上枠用下地材の枠取付部にねじで固定して取付け、
前記新設枠の新設縦枠を前記縦枠用下地材の枠取付部にねじで固定して取付けたことを特徴とする改装サッシ。
【請求項２】
前記縦枠用下地材は、室内外側方向に離隔した２つの見付け方向支持部を有し、
その各見付け方向支持部を既設縦枠に当接して見付け方向の動きを規制した請求項１記載の改装サッシ。
【請求項３】
前記２つの見付け方向支持部のいずれか一方を、その支持位置を見付け方向に調整可能とした請求項２記載の改装サッシ。
【請求項４】
前記縦枠用下地材に支持用ねじを見付け方向に向けて螺合し、その支持用ねじを支持位置を見付け方向に調整可能な見付け方向支持部とした請求項３記載の改装サッシ。
【請求項５】
前記縦枠用下地材の固定部品に支持用ねじを見付け方向に向けて螺合し、その支持用ねじを支持位置を見付け方向に調整可能な見付け方向支持部とした請求項３記載の改装サッシ。
【発明の詳細な説明】
【技術分野】
【０００１】
本発明は、既設サッシの既設枠に新設枠を取付けることで既設サッシを新設サッシに改装した改装サッシに関する。
【背景技術】
【０００２】
従来、既設サッシの既設枠を建物躯体の開口部に残存し、その既設枠内に新設枠を取付け、その新設枠に障子を装着することで、既設サッシを新設サッシに改装した改装サッシが種々提案されている。
例えば、特許文献１に開示されたように、既設枠の既設上枠に上枠用下地材、既設下枠に下枠用下地材、既設縦枠に縦枠用下地材をアタッチメントとしてそれぞれ取付け、新設枠の新設上枠、新設下枠、新設縦枠を、前記各下地材にそれぞれねじによって固定することで、既設枠内に新設枠を取付けるようにした改装サッシが知られている。
【特許文献１】特開２００７−２３５６５号公報
【発明の開示】
【発明が解決しようとする課題】
【０００３】
前述した従来の改装サッシは、その上枠用下地材、縦枠用下地材が、既設上枠、既設縦枠における板状部分に取付用ねじを螺合することで固定し、その取付用ねじの螺合部の引き抜き強度にて上枠用下地材、縦枠用下地材の取り付け強度を確保している。
しかし、古い既設枠は、製造メーカ毎に前述の板状部分の肉厚が異なり、肉厚の薄い場合では十分な取り付け強度が得られないことがあるし、古い既設枠は築後長期間経過しているため、板状部分が劣化して十分な取り付け強度が得られないことがある。
このように、既設上枠、既設縦枠における下地材を取付ける板状部分の肉厚状態が安定しておらず、下地材の取り付け強度に不安がある。
前述のように、下地材の取付け強度が十分でない場合には、新設枠の取付けが不安定となる可能性がある。
【０００４】
また、既設上枠、既設縦枠の板状部分に、下地材を直接ねじ固定するために、そのねじの螺合部分から建物躯体へ雨水等が浸入する恐れがある。
【０００５】
本発明の目的は、上枠用下地材、縦枠用下地材の取り付け強度を、既設上枠、既設縦枠の状態に左右されずに、常に十分なものとすることができ、それによって、新設枠を既設枠の状態に左右されずに、しっかりと常に安定した状態で取付けでき、しかも、上枠用下地材、縦枠用下地材の取付け部から建物躯体へ雨水等が浸入する恐れがない改装サッシとすることである。
【課題を解決するための手段】
【０００６】
本発明は、建物躯体の開口部に残存した既設枠内に、新設枠を上枠用下地材、縦枠用下地材を用いて取付け、その新設枠に障子を取付けた改装サッシであって、
前記既設枠の既設上枠の中間内向板と、既設縦枠の中間内向板は下地材取付用孔を有し、
前記上枠用下地材、縦枠用下地材は、挿通部と支持部と凹部形成部と枠取付部を有し、
その各挿通部を前記各中間内向板の下地材取付用孔にそれぞれ挿通して各下地材の既設上枠、既設縦枠の長手方向への動きを規制し、
前記各凹部形成部と各中間内向板との間に固定部品を取付けることで、その各中間内向板を前記各支持部と各固定部品とでそれぞれ挟持して各下地材の既設上枠、既設縦枠の室内外側方向への動きを規制して各下地材を既設上枠、既設縦枠にそれぞれ取付け、
前記新設枠の新設上枠を前記上枠用下地材の枠取付部にねじで固定して取付け、
前記新設枠の新設縦枠を前記縦枠用下地材の枠取付部にねじで固定して取付けたことを特徴とする改装サッシである。
【０００７】
本発明においては、前記縦枠用下地材は、室内外側方向に離隔した２つの見付け方向支持部を有し、
その各見付け方向支持部を既設縦枠に当接して見付け方向の動きを規制するようにすることができる。
このようにすれば、縦枠用下地材が既設縦枠の見付け方向に動くことがないので、新設縦枠に障子が衝突した時などに新設縦枠が見付け方向に動いたり、変形することがない。
【０００８】
本発明においては、前記２つの見付け方向支持部のいずれか一方を、その支持位置を見付け方向に調整可能とすることができる。
このようにすれば、１つの見付け方向支持部の支持位置を変えることで、縦枠用下地材の見付け方向の取付け姿勢を変更できるから、既設縦枠の見付け方向の角度が異なっても枠取付部の見付け方向の角度を設定角度として、新設縦枠を正しい取付け姿勢で取付けできる。
【０００９】
本発明においては、前記縦枠用下地材に支持用ねじを見付け方向に向けて螺合し、その支持用ねじを支持位置を見付け方向に調整可能な見付け方向支持部とすることができる。
このようにすれば、支持用ねじを締込み、弛めることで縦枠用下地材の見付け方向の取付け姿勢を変更でき、その操作が容易である。
【００１０】
本発明においては、前記縦枠用下地材の固定部品に支持用ねじを見付け方向に向けて螺合し、その支持用ねじを支持位置を見付け方向に調整可能な見付け方向支持部とすることができる。
このようにすれば、縦枠用下地材の取付け姿勢を簡単な操作で変更できる。
【発明の効果】
【００１１】
本発明によれば、既設上枠、既設縦枠の中間内向板の下地材取付用孔に挿通部を挿通することで上枠用下地材、縦枠用下地材の既設上枠、既設縦枠の長手方向への動きを規制し、前記中間内向板を支持部と固定部品で挟持することで上枠用下地材、縦枠用下地材の既設上枠、既設縦枠の室内外側方向への動きを規制して上枠用下地材、縦枠用下地材を既設上枠、既設縦枠に取付けたので、上枠用下地材、縦枠用下地材の取り付け強度を、既設上枠、既設縦枠の状態に左右されずに、常に十分なものとすることができる。
したがって、新設枠を既設枠の状態に左右されずに、しっかりと常に安定した状態で取付ける。
【００１２】
また、上枠用下地材、縦枠用下地材の取付けにねじを利用していないので、各取付部から建物躯体へ雨水等が浸入する恐れがない。
【発明を実施するための最良の形態】
【００１３】
図１と図２に示すように、建物躯体１の開口部２には既設サッシの既設枠３が残存している。
この既設枠３は、既設上枠４と既設下枠５と左右の既設縦枠６で方形状である。
前記既設上枠４には上枠用下地材１０が取付けてある。
前記既設下枠５には下枠用下地材２０が取付けてある。
前記既設縦枠６には縦枠用下地材３０が取付けてある。
【００１４】
前記既設枠３内には新設枠４０が取付けてある。
この新設枠４０は新設上枠４１と新設下枠４２と左右の新設縦枠４３を方形状に枠組みしてある。
前記新設上枠４１は上枠用下地材１０にねじ４４で固着して取付けてある。
前記新設下枠４２は下枠用下地材２０にねじ４５で固着して取付けてある。
前記新設縦枠４３が縦枠用下地材３０にねじ４６で固着して取付けてある。
前記新設枠４０内に障子４７を取付けて新設サッシとし、前記既設サッシを新設サッシに改装した改装サッシとしてある。
【００１５】
前記既設上枠４の室内側部と新設上枠４１の室内側部とに亘って上塞ぎ部材５０を取付け、前記各室内側部間の隙間を塞いでいる。
前記既設下枠５の室内側部と新設下枠４２の室内側部とに亘って下塞ぎ部材５１を取付け、その各室内側部間の隙間を塞いでいる。
前記既設縦枠６の室内側部と新設縦枠４３の室内側部とに亘って縦塞ぎ部材５２を取付け、その各室内側部間の隙間を塞いでいる。
【００１６】
前記縦枠用下地材３０の取付けについて説明する。
図３と図４に示すように、前記既設縦枠６は、室内外側方向に向かう基板６ａと、この基板６ａに設けた室内外側方向と直角な見付け方向（左右方向）に向かう室内側内向板６ｂ、室外側内向板６ｃとで内向き凹部６ｄを有すると共に、前記基板６ａに中間内向板６ｅを有し、この中間内向板６ｅは前記内向き凹部６ｄ内に位置している。前述の説明において内向板とは、反対側の既設縦枠６に向かう板である。
前記中間内向板６ｅには下地材取付用孔６ｆが形成されている。
この下地材取付用孔６ｆは既設縦枠６の長手方向に長く、短手方向には短く、ほぼスリット形状で、中間内向板６ｅの長手方向に間隔を置いて複数形成してある。
つまり、縦枠用下地材３０は、短尺で、既設縦枠６の長手方向複数位置に取付けるので、それに合せて前述の下地材取付用孔６ｆを複数形成してある。
【００１７】
前記縦枠用下地材３０は、図３と図４に示すように、前記下地材取付用孔６ｆを挿通する挿通部３０ａと、前記中間内向板６ｅの室内外方向の他側面（室外側面）に接する支持部３０ｂと、前記中間内向板６ｅの室内外方向の一側面（室内側面）とで固定用凹部３１を形成する凹部形成部３０ｃと、前記新設縦枠４３を取付ける枠取付部３０ｄを有している。
【００１８】
そして、前記挿通部３０ａを中間内向板６ｅの下地材取付用孔６ｆに挿通して縦枠用下地材３０を既設縦枠６の内向き凹部６ｄ内に設け、前記固定用凹部３１に固定部品３２を嵌合するように取付けることで、その固定部材３２を中間内向板６ｅの一側面に押しつけ、前記支持部３０ｂを中間内向板６ｅの他側面に押しつけることによって中間内向板６ｅを固定部品３２と支持部３０ｂで挟持して、縦枠用下地材３０を既設縦枠６に取付ける。
【００１９】
これによって、縦枠用下地材３０は挿通部３０ａによって既設縦枠６の長手方向への動きが規制され、支持部３０ｂと固定部品３２とで室内外側方向への動きが規制されるので、縦枠用下地材３０の取り付け強度は十分である。
【００２０】
また、既設縦枠６の中間内向板６ｅの肉厚が薄くても、その中間内向板６ｅが経年変化で劣化しても、縦枠用下地材３０の取り付け強度が低下することがないので、縦枠用下地材３０の取り付け強度を、既設縦枠６の状態に左右されずに、常に十分なものとすることができる。
また、縦枠用下地材３０の取付けにねじを使用していないから、その取付け部から建物躯体へ、雨水等が浸入する恐れがない。
【００２１】
前記縦枠用下地材３０の具体形状の一例を図３〜図５に基づいて説明する。
前記縦枠用下地材３０は、前記下地材取付用孔６ｆの長さよりも若干小さな幅を有する板状で、室内外側方向と直角な見付け方向に向かう一側外向片３３と、この一側外向片３３の見付け方向の内端部と連続した室内外側方向の他側（室外側）に向かう一側横片３４と、この一側横片３４の室内外側方向の他側（室外側）端と連続し見付け方向に向かう中間外向片３５と、この中間外向片３５の見付け方向の外端部と連続し室内外側方向の他側（室外側）に向かう他側横片３６と、この他側横片３６の室内外側方向の他側（室外側）端と連続し見付け方向に向かう他側内向片３７を有している。
前記中間外向片３５と他側横片３６と他側横片３７で見付け方向の内方に開口した凹陥部３８を形成している。
【００２２】
前記固定部品３２は、前記固定用凹部３１の室内外側方向の幅と同一幅の板状で、中間片３２ａの長手方向両端と連続して鉤片３２ｂをそれぞれ有し、固定部品３２はほぼコ字形状である。
【００２３】
そして、図６（ａ）に示すように既設縦枠６の中間内向板６ｅの下地材取付用孔６ｆに、縦枠用下地材３０の他側内向片３７を挿通し、矢印ａ方向に回動しながら図６（ｂ）に示すように、他側横片３６を下地材取付用孔６ｆに挿通し、一側外向片３３と他側横片３６を既設縦枠６の基板６ａに接する。
この状態で、固定部品３２の中間片３２ａを図６（ｃ）に示すように固定用凹部３１に嵌合するように取付けることで、中間内向板６ｅの一側面と中間外向片３５に強く接触させ、鉤片３２ｂを既設縦枠６の基板６ａに接することで、縦枠用下地材３０を既設縦枠６に取り付ける。
【００２４】
これにより、縦枠用下地材３０は、他側横片３６によって既設縦枠６の長手方向の動きが規制され、他側内向片３７が中間内向板６ｅの他側面に接すると共に、固定部品３２が中間内向板６ｅの一側面に接して両者で中間内向板６ｅを挟持することで既設縦枠６の室内側方向への動きが規制される。
【００２５】
このようであるから、縦枠用下地材３０の他側内向片３７が前述の支持部３０ｂで、他側横片３６が前述の挿通部３０ａで、他側横片３６と中間外向片３５が前述の凹部形成部３０ｃで、一側横片３４が前述の枠取付部３０ｄである。
【００２６】
また、図３に示すように、他側横片３６と一側外向片３３が既設縦枠６の基板６ａに接しているので、その縦枠用下地材３０の見付け方向の動きを規制する。
これにより、新設枠４０が見付け方向（左右方向）に動くことが防止されるので、障子４７が新設縦枠４３に衝突したときなどに新設枠が見付け方向（左右方向）に動くことがないと共に、変形することもない。
【００２７】
このようであるから、前記縦枠用下地材３０の他側横片３６（挿通部３０ａ）と一側外向片３３が室内外側方向に離隔した２つの見付け方向支持部である。
【００２８】
前記固定部品３２が脱落する恐れがある場合には、その固定部品３２を接着テープ、例えば、構造用テープ等を用いて既設縦枠６に固定する。
【００２９】
そして、新設縦枠４３からねじ４６を一側横片３４に螺合して新設縦枠４３を縦枠用下地材３０に固着して取付ける。
図２においては、一側横片３４と新設縦枠４３との間にはスペーサ７が介在してある。
【００３０】
次に、上枠用下地材１０の取付けについて図７、図８に基づいて説明する。
この上枠用下地材１０の取付けは前述した縦枠用下地材３０の取付けと同様である。
図７と図８に示すように、前記既設上枠４は、室内外側方向に向かう基板４ａと、この基板４ａに設けた見付け方向（上下方向）に向かう室内側内向板４ｂ、室外側内向板４ｃとで内向き凹部４ｄを有すると共に、前記基板４ａに中間内向板４ｅを有し、この中間内向板４ｅは前記内向き凹部４ｄ内に位置している。
前記中間内向板４ｅには下地材取付用孔４ｆが形成されている。
この下地材取付用孔４ｆは既設上枠４の長手方向に長く、短手方向には短く、ほぼスリット形状で、中間内向板４ｅの長手方向に間隔を置いて複数形成してある。
つまり、上枠用下地材１０は短尺で、既設上枠４の長手方向複数位置に取付けるので、それに合わせて前述の下地材取付用孔４ｆを複数形成してある。
【００３１】
前記上枠用下地材１０は、前述した縦枠用下地材３０と同様に、挿通部１０ａ、支持部１０ｂ、凹部形成部１０ｃ、枠取付部１０ｄを有し、その挿通部１０ａを中間内向板４ｅの下地材取付孔４ｆに挿通して仮取付けることで、前述と同様に固定用凹部１１を形成する。
この固定用凹部１１に固定部品１２を嵌合するように取付けることで、支持部１０ｂと固定部品１２で中間内向板４ｅを狭持して上枠用下地材１０を既設上枠４に取付ける。
そして、図１に示すように新設上枠４１からねじ４４を上枠用下地材１０の枠取付部１０ｄに螺合して新設上枠４１を上枠用下地材１０に固着して取付ける。
【００３２】
このようであるから、上枠用下地材１０の取り付け強度を、既設上枠４の状態に左右されずに、常に十分なものにできる。
したがって、新設枠４０を既設枠３の状態に左右されずに、しっかりと常に安定した状態で取付けできる。
また、上枠用下地材１０の取付けにねじを使用していないので、その取付け部から建物躯体１へ雨水用が侵入する恐れがない。
【００３３】
前記上枠用下地材１０の具体形状の一例を説明すると、この上枠用下地材１０は縦枠用下地材３０と同様に、前記下地材取付用孔４ｆの長さよりも若干小さな幅を有する板状で、見付け方向に向かう他側外向片１３と、この他側外向片１３の見付け方向の内端部と連続し室内側方向の一側（室内側）に向かう他側横片１４と、この他側横片１４の室内外側方向の一側（室内側）端と連続し見付け方向に向かう中間外向片１５と、この中間外向片１５の見付け方向の外端部と連続し室内外側方向の一側に向かう一側横片１６と、この一側横片１６の室内外側方向の一側（室内側）端と連続し見付け方向に向かう一側内向片１７を有している。
前記中間外向片１５と一側横片１６と一側内向片１７で内外方向の内方に開口した凹陥部１８を形成している。
【００３４】
そして、前記一側内向片１７が支持部１０ｂで、一側横片１６が挿通部１０ａで、一側横片１６と中間外向片１５が凹部形成部１０ｃで、他側横片１４が枠取付部１０ｄである。
【００３５】
前記固定部品１２も前述の縦枠用下地材３０の固定部品３２を同様に、中間片１２ａと一対の釣片１２ｂを有したほぼコ字形状である。
【００３６】
次に、縦枠用下地材３０の第２の実施の形態を説明する。
図９と図１０に示すように、縦枠用下地材３０は前述の第１の実施の形態と同様で、固定部品３２が相違する。
前記固定部品３２は、見付け方向に向かう押え片３２ｃと室内外側方向に向かう取付片３２ｄで鉤形状で、その取付片３２ｄの室内外側方向の中間に縦溝３２ｅが下端面に開口して形成してある。
【００３７】
そして、図１０（ａ）に示すように、既設縦枠６の中間内向板６ｅに形成した下地材取付用孔６ｆに、縦枠用下地材３０の挿通部３０ａを挿通して縦枠用下地材３０を既設縦枠６の内向き凹部６ｄ内に設ける。
この状態で、固定部品３２を既設縦枠６の長手方向に移動し、その縦溝３２ｅを縦枠用下地材３０の中間外向片３５に嵌め合わせると共に、押え片３２ｃを中間内向板６ｅの一側面に接することで、図１０（ｂ）に示すように、固定部品３２を固定用凹部３１に嵌合するように取付け、固定部品３２の押え片３２ｃと縦枠用下地材３０の他側内向片３７（支持部３０ｂ）とで既設縦枠６の中間内向板６ｅを挟持して縦枠用下地材３０を既設縦枠６に取付ける。
そして、固定部品３２の取付片３２ｄと縦枠用下地材３０の枠取付部３０ｄ（一側横片３４）をビス３２ｆで固定する。
【００３８】
次に、縦枠用下地材３０の第３の実施の形態を説明する。
前記縦枠用下地材３０の枠取付部３０ｄは、新設縦枠４３の正しい取付け姿勢と平行とする必要があるが、前述の図３に示すように、挿通部３０ａと一側外向片３３を既設縦枠６の基板６ａに当接する縦枠用下地材３０では、前記既設縦枠６の基板６ａの見付け方向の角度θが異なると、枠取付部３０ｄが新設縦枠４３の正しい取付け姿勢と平行とならないので、新設縦枠４３を正しい取付け姿勢で取付けできずに、見付け方向に斜めの取付け姿勢となってしまう。
【００３９】
つまり、２つの見付け方向支持部の支持位置が常に一定であると、前述のように基板６ａの見付け方向の角度が異なる既設縦枠６に対応できない。
そこで、この実施の形態では、２つの見付け方向支持部の一方の見付け方向支持部を、その支持位置を調整可能とし、基板６ａの見付け方向の角度に応じて支持位置を変えることで、新設縦枠４３を正しい取付け姿勢で取付けできるようにした。
【００４０】
図１１に示すように、縦枠用下地材３０に支持用ねじ６０を見付け方向に向けて螺合し、その支持用ねじ６０を既設縦枠６に当接し、この支持用ねじ６０と挿通部３０ａとで縦枠用下地材３０の見付け方向の動きを規制する。
【００４１】
また、前記支持用ねじ６０を締付け、弛めして見付け方向に移動することで、支持位置を変えると、縦枠用下地材３０は挿通部３０ａを支点として見付け方向に傾動し、縦枠用下地材３０の見付け方向の取付け姿勢（取付け角度）を調整できる。
したがって、既設縦枠６の基板６ａの見付け方向の角度θが異なっても、縦枠用下地材３０の枠取付部３０ｄの見付け方向の角度を設定の角度にできるので、その枠取付部３０ｄに新設縦枠４３を正しい取付け姿勢で取付けできる。
しかも、その操作が簡単である。
例えば、縦枠用下地材３０の枠取付部３０ｄを見付け方向と直角とすることで、その枠取付部３０ｄに新設縦枠４３を見付け方向と直角な正しい取付け姿勢で取付けできる。
【００４２】
図１１において、縦枠用下地材３０の一側横片３４の室内外側方向の他側部分を釣形に折曲して凹部３４ａを形成し、その凹部３４ａの底部に支持用ねじ６０を螺合し、その支持用ねじ６０の頭部６０ａが一側横片３４の室内外側方向の一側部分（枠取付部３０ｄ）よりも見付け方向の内側に突出しないようにしてある。
これによって、支持用ねじ６０が新設縦枠４３の取付けの邪魔にならない。
【００４３】
次に、縦枠用下地材３０の第４の実施の形態を説明する。
この実施の形態は、２つの見付け方向支持部の一方を支持位置を調整可能とした点では、前述の第２の実施の形態と同一であるが、その支持位置を調整可能とする見付け方向支持部の形状が相違する。
【００４４】
図１２と図１３に示すように、縦枠用下地材３０の一側外向片３３を既設縦枠６の基板６ａに当接して見付け方向支持部とする。
前記縦枠用下地材３０の挿通部３０ａ（他側横片３６）を、前記基板６ａと離隔する。
前記固定部品３２に支持用ねじ６０を螺合し、この支持用ねじ６０を挿通部３０ａの穴を通して前記基板６ａに当接して見付け方向支持部とする。
【００４５】
このようにすれば、支持用ねじ６０を締付け、弛めることで、そのねじ込み程度を変えることによって支持用ねじ６０の挿通部３０ａからの突出長さが変更し、支持位置が変わるので、縦枠用下地材３０が一側外向片３３の基板６ａの当接部を支点として見付け方向に傾動し、縦枠用下地材３０の見付け方向の取付け姿勢を調整できる。
しかも、その操作が安易である。
【００４６】
図１２、図１３に示すように、縦枠用下地材３０は、長手方向に離隔した２つの支持部３０ｂを有し、その２つの支持部３０ｂが既設縦枠６の中間内向板６ｅに形成した、２つの下地材取付用孔６ｆをそれぞれ挿通して中間内向板６ｅの他側面にそれぞれ接して２つの固定用凹部３１を形成している。
前記固定部品３２は一面が開口した短形箱形状で、その底部３２ｇにねじ孔３２ｈを形成し、支持用ねじ６０が螺合してある。
そして、固定部品３２を２つの固定用凹部３１にそれぞれ嵌合するように取付けし、支持用ねじ６０を既設縦枠６の基板６ａに当接する。
【００４７】
このようにすれば、縦枠用下地材３０を長尺とすることができる。
【図面の簡単な説明】
【００４８】
【図１】本発明の実施の形態を示す改装サッシの縦断面図である。
【図２】本発明の実施の形態を示す改装サッシの横断面図である。
【図３】縦枠用下地材の取付部分の拡大横断面図である。
【図４】図３の側面図である。
【図５】既設縦枠と縦枠用下地材と固定部品の分解斜視図である。
【図６】縦枠用下地材の取付け手順説明用の斜視図である。
【図７】上枠用下地材の取付部分の拡大縦断面図である。
【図８】図７の見上げ図である。
【図９】縦枠用下地材の第２の実施の形態を示す取付け状態の横断面図である。
【図１０】縦枠用下地材の取付け手順説明用の斜視図である。
【図１１】縦枠用下地材の第３の実施の形態を示す取付け状態の横断面図である。
【図１２】縦枠用下地材の第４の実施の形態を示す取付け状態の横断面図である。
【図１３】第４の実施の形態を示す既設縦枠と縦枠用下地材と固定部品の分解斜視図である。
【符号の説明】
【００４９】
１…建物躯体、２…開口部、３…既設枠、４…既設上枠、４ａ…基板、４ｅ…中間内向板、４ｆ…下地材取付用孔、５…既設下枠、６…既設縦枠、６ａ…基板、６ｅ…中間内向板、６ｆ…下地材取付用孔、１０…上枠用下地材、１０ａ…挿通部、１０ｂ…支持部、１０ｃ…凹部形成部、１０ｄ…枠取付部、１１…固定用凹部、１２…固定部品、３０…縦枠用下地材、３０ａ…挿通部、３０ｂ…支持部、３０ｃ…凹部形成部、３０ｄ…枠取付部、３１…固定用凹部、３２…固定部品、３３…一側外向片（見付け方向支持部）、６０…支持用ねじ（見付け方向支持部）。
【図１】
2010174549.tif 000003
【図２】
2010174549.tif 000004
【図３】
2010174549.tif 000005
【図４】
2010174549.tif 000006
【図５】
2010174549.tif 000007
【図６】
2010174549.tif 000008
【図７】
2010174549.tif 000009
【図８】
2010174549.tif 000010
【図９】
2010174549.tif 000011
【図１０】
2010174549.tif 000012
【図１１】
2010174549.tif 000013
【図１２】
2010174549.tif 000014
【図１３】
2010174549.tif 000015